【手続補正書】
【提出日】平成22年2月26日(2010.2.26)
【手続補正１】
【補正対象書類名】特許請求の範囲
【補正対象項目名】全文
【補正方法】変更
【補正の内容】
【特許請求の範囲】
【請求項１】
複数のメンバのコンテンツの利用履歴を記憶する利用履歴記憶部と、
上記利用履歴記憶部に記憶される複数のメンバの利用履歴のうちの第１のメンバの利用履歴から、少なくとも一のコンテンツ識別情報を抽出し、次に、上記複数のメンバの利用履歴のうちの第２のメンバの利用履歴から、少なくとも一のコンテンツ識別情報を抽出することにより、コンテンツ識別情報のリストとなる単一のプレイリストを生成する制御部と
を具える情報処理装置。
【請求項２】
上記制御部は、
上記第１のメンバ及び上記第２のメンバを、上記複数のメンバから無作為に選定する
請求項１に記載の情報処理装置。
【請求項３】
上記制御部は、
上記第１のメンバ及び上記第２のメンバを、直前に選定したメンバとは異なるメンバから選定する
請求項１に記載の情報処理装置。
【請求項４】
上記制御部は、
上記複数のメンバの性別及び世代の両方または一方に応じてコミュニティを設定し、当該コミュニティのメンバのなかから、上記第１のメンバ及び上記第２のメンバを選定する
請求項１に記載の情報処理装置。
【請求項５】
上記制御部は、
特定期間における、上記利用履歴記憶部内の一のメンバの利用履歴と類似する利用履歴を有するメンバのコミュニティを設定し、当該コミュニティのメンバのなかから、上記第１のメンバ及び上記第２のメンバを選定する
請求項１に記載の情報処理装置。
【請求項６】
上記制御部は、
上記複数のメンバのうちの一のメンバにより設定されている再生設定コンテンツを特定して、上記複数のメンバのなかから利用履歴に上記再生設定コンテンツのコンテンツ識別情報が含まれているメンバを検索し、検索されたメンバのうちの第１のメンバの利用履歴から上記再生設定コンテンツのコンテンツ識別情報の前または後のコンテンツ識別情報を抽出し、次に、検索されたメンバのうちの第２のメンバの利用履歴から上記再生設定コンテンツのコンテンツ識別情報の前または後のコンテンツ識別情報を抽出することにより、上記プレイリストを生成する
請求項１に記載の情報処理装置。
【請求項７】
上記制御部は、
上記複数のメンバのうちの第１のメンバの利用履歴から最新再生コンテンツのコンテンツ識別情報を抽出して、当該第１のメンバ以外のメンバのなかから利用履歴に上記最新再生コンテンツのコンテンツ識別情報が含まれている第２のメンバを選定し、当該第２のメンバの利用履歴から上記最新再生コンテンツのコンテンツ識別情報の前または後のコンテンツ識別情報を抽出し、次に、上記第１及び第２のメンバ以外のメンバのなかから利用履歴に上記第２のメンバの利用履歴から抽出したコンテンツ識別情報が含まれている第３のメンバを選定し、当該第３のメンバの利用履歴から上記第２のメンバの利用履歴から抽出したコンテンツ識別情報の前または後のコンテンツ識別情報を抽出することにより、上記プレイリストを生成する
請求項１に記載の情報処理装置。
【請求項８】
上記第１のメンバの利用履歴から抽出したコンテンツ識別情報により識別されるコンテンツの推薦文を、当該第１のメンバのハンドル名、及び当該コンテンツのタイトルに基づいて生成する文章生成部を具える
請求項１に記載の情報処理装置。
【請求項９】
上記文章生成部は、
上記第１のメンバの性別及び年齢の両方または一方に応じて上記推薦文を生成する
請求項８に記載の情報処理装置。
【請求項１０】
上記推薦文から音声を合成する音声合成部を具え、
上記音声合成部は、
プレイリストの生成を要求するメンバの性別に応じて、上記推薦文を所定の性別の声で音声合成する
請求項８に記載の情報処理装置。
【請求項１１】
コンテンツを記憶する記憶部と、
上記記憶部に記憶されるコンテンツを再生する再生部と
を具え、
上記制御部は、
上記メンバからの指示に応じて、上記再生部が、生成した上記プレイリストに基づいてコンテンツを再生する場合には、当該コンテンツの再生に基づく利用履歴を上記利用履歴記憶部に記憶させない
請求項１に記載の情報処理装置。
【請求項１２】
複数のメンバに対応する複数の推薦情報及び複数のコンテンツ識別情報を取得する取得部と、
上記推薦情報、及び上記コンテンツ識別情報により識別されるコンテンツを出力する出力部と、
上記出力部が、第１のメンバに対応する第１の推薦情報の出力を開始した以降に、第１のコンテンツ識別情報により識別される第１のコンテンツの出力を開始し、当該第１のコンテンツの出力が完了後、第２のメンバに対応する第２の推薦情報の出力を開始した以降に、第２のコンテンツ識別情報により識別される第２のコンテンツの出力を開始するように制御する制御部と
を具える情報処理装置。
【請求項１３】
上記取得部は、
プレイリスト生成の要求信号を外部装置に対して送信すると共に、当該要求信号に応じて外部装置から送信される、複数のメンバに対応する複数の推薦情報及び複数のコンテンツ識別情報を受信する通信部を含み、
上記外部装置は、複数のメンバのコンテンツの利用履歴を記憶し、
上記通信部は、
上記複数のメンバのうちの第１のメンバの利用履歴から抽出された少なくとも一のコンテンツ識別情報と、上記複数のメンバのうちの第２のメンバの利用履歴から抽出された少なくとも一のコンテンツ識別情報とを、上記複数のメンバに対応する複数のコンテンツ識別情報として受信する
請求項１２に記載の情報処理装置。
【請求項１４】
複数のメンバのコンテンツの利用履歴を記憶する利用履歴記憶部を具え、
上記制御部は、
上記利用履歴記憶部に記憶される複数のメンバの利用履歴のうちの第１のメンバの利用履歴から、少なくとも一のコンテンツ識別情報を抽出し、次に、上記複数のメンバの利用履歴のうちの第２のメンバの利用履歴から、少なくとも一のコンテンツ識別情報を抽出することにより、コンテンツ識別情報のリストとなる単一のプレイリストを生成し、上記出力部が、上記単一のプレイリストにしたがって上記第１及び第２のコンテンツ識別情報により識別される上記第１及び第２のコンテンツの出力するように制御する
請求項１２に記載の情報処理装置。
【請求項１５】
上記推薦情報は、推薦文を含み
上記出力部は、上記推薦文から音声を合成する音声合成部を有する
請求項１２に記載の情報処理装置。
【請求項１６】
上記コンテンツ識別情報は、複数のメンバのコンテンツの利用履歴から抽出され、
上記音声合成部は、上記第１のコンテンツ識別情報が抽出された利用履歴を有するメンバの性別に応じて、上記推薦文を所定の性別の声で音声合成する
請求項１５に記載の情報処理装置。
【請求項１７】
複数のメンバのコンテンツの利用履歴のうちの第１のメンバの利用履歴から、少なくとも一のコンテンツ識別情報を抽出し、次に、上記複数のメンバの利用履歴のうちの第２のメンバの利用履歴から、少なくとも一のコンテンツ識別情報を抽出することにより、コンテンツ識別情報のリストとなる単一のプレイリストを生成する
情報処理方法。
【請求項１８】
取得した第１のメンバに対応する第１の推薦情報の出力を開始した以降に、取得した第１のコンテンツ識別情報により識別される第１のコンテンツの出力を開始し、当該第１のコンテンツの出力が完了後、取得した第２のメンバに対応する第２の推薦情報の出力を開始した以降に、取得した第２のコンテンツ識別情報により識別される第２のコンテンツの出力を開始する
情報処理方法。
【請求項１９】
情報処理装置に対して、
利用履歴記憶部に記憶される複数のメンバのコンテンツの利用履歴のうちの第１のメンバの利用履歴から、少なくとも一のコンテンツ識別情報を抽出し、次に、上記複数のメンバの利用履歴のうちの第２のメンバの利用履歴から、少なくとも一のコンテンツ識別情報を抽出することにより、コンテンツ識別情報のリストとなる単一のプレイリストを生成させる処理を
実行させるための情報処理プログラム。
【請求項２０】
情報処理装置に対して、
取得部で取得した第１のメンバに対応する第１の推薦情報の出力を出力部に開始させた以降に、取得部で取得した第１のコンテンツ識別情報により識別される第１のコンテンツの出力を出力部に開始させ、当該第１のコンテンツの出力が完了後、取得部で取得した第２のメンバに対応する第２の推薦情報の出力を出力部に開始させた以降に、取得部で取得した第２のコンテンツ識別情報により識別される第２のコンテンツの出力を出力部に開始させる処理を
実行させるための情報処理プログラム。